(57)【特許請求の範囲】
【請求項１】
美錠が取り付けられる時計用のバンドであって、
前記美錠が着脱可能に取り付けられる折返し部を有するバンド本体と、
前記折返し部に装着される板ばねと、を備え、
前記折返し部は、受け部と、前記受け部に連続する湾曲部と、前記湾曲部から前記受け部に向かって延出される係止部とを備え、少なくとも前記受け部から前記湾曲部に跨がって形成される第１長穴を有し、
前記板ばねは、前記受け部に装着される背板部と、前記湾曲部に装着される連結部と、前記係止部に装着される係止板部とを備え、少なくとも前記背板部から前記連結部に跨がって形成されて前記第１長穴に重なる位置に設けられる第２長穴を有し、
前記受け部および前記係止部間は、前記板ばねによって開閉可能に構成され、
前記第１長穴は、前記第２長穴に比べて幅寸法および長さ寸法が小さくされ、
前記板ばねは、前記第１長穴から露出しないように被覆されていることを特徴とするバンド。
【請求項２】
請求項１に記載のバンドと、
前記折返し部に取り付けられた前記美錠と、を備える美錠付き時計バンドであって、
前記美錠は、美錠枠と、前記美錠枠に取り付けられた軸と、前記軸に回動自在に取り付けられたつく棒とを備え、
前記軸は、前記受け部、前記湾曲部、前記係止部で囲まれる保持空間に配置され、
前記つく棒は、前記第１長穴および前記第２長穴を通して突出されていることを特徴とする美錠付き時計バンド。
【請求項３】
時計ケースを有する時計本体と、
前記時計ケースに取り付けられた請求項２に記載の美錠付き時計バンドと、
前記時計ケースに取り付けられた剣先側時計バンドと、を備えることを特徴とする時計。
【発明の詳細な説明】
【技術分野】
【０００１】
本発明は、腕時計に用いられるバンドと、このバンドに美錠を取り付けた美錠付き時計バンドおよび時計に関する。
【背景技術】
【０００２】
腕時計本体に対して、ワンタッチで取付け、取外しをすることができる時計バンドが知られている（例えば、特許文献１参照）。時計バンドには、美錠が取り付けられる美錠付き時計バンドと、剣先側時計バンドとがある。特許文献１では、各時計バンドを腕時計本体に対して交換できるように構成している。
このような時計バンドは、時計のユーザーが容易に交換できるため、ユーザーは複数の時計バンドを用意しておき、その日の気分やシーンに応じて着替えるように時計バンドを交換することができる。
【先行技術文献】
【特許文献】
【０００３】
【特許文献１】実用新案登録第３１８７９０３号公報
【発明の概要】
【発明が解決しようとする課題】
【０００４】
前記特許文献１では、美錠の取付構造は、一般的な時計バンドと同様であり、バンドに対して、ばね棒を利用して取り付けられている。このため、美錠の取り外しには、専用の治具が必要となり、一般的なユーザーは、バンドと美錠との色合いが合わないと感じた場合等に、バンドから美錠を取り外して交換できないという課題がある。
【０００５】
本発明の目的は、美錠を容易に交換できるバンド、美錠付き時計バンドおよび時計を提供することにある。
【課題を解決するための手段】
【０００６】
本発明のバンドは、美錠が取り付けられる時計用のバンドであって、前記美錠が着脱可能に取り付けられる折返し部を有するバンド本体と、前記折返し部に装着される板ばねと、を備え、前記折返し部は、受け部と、前記受け部に連続する湾曲部と、前記湾曲部から前記受け部に向かって延出される係止部とを備え、少なくとも前記受け部から前記湾曲部に跨がって形成される第１長穴を有し、前記板ばねは、前記受け部に装着される背板部と、前記湾曲部に装着される連結部と、前記係止部に装着される係止板部とを備え、少なくとも前記背板部から前記連結部に跨がって形成されて前記第１長穴に重なる位置に設けられる第２長穴を有し、前記受け部および前記係止部間は、前記板ばねによって開閉可能に構成されていることを特徴とする。
【０００７】
本発明によれば、板ばねを弾性変形させて、折返し部の受け部および係止部間を開くことで、美錠のつく棒および軸を受け部および係止部の間から挿入できる。そして、折返し部および板ばねには、それぞれ第１長穴および第２長穴が形成されているので、前記つく棒を各長穴を通して折返し部および板ばねから突出させ、美錠の軸を折返し部の内側に形成される空間に配置できる。この状態では、板ばねのばね力で、受け部および係止部間が閉じられるので、美錠を折返し部に取り付けた状態に保持できる。また、板ばねを弾性変形させて、再度、受け部および係止部間を開けば、美錠を取り外すこともできる。
すなわち、受け部および係止部間は、通常、板ばねによって閉じられているが、ユーザーが係止部を受け部から離れる方向に移動させ、板ばねを弾性変形させるだけで、美錠の取り外し、取り付けが可能になる。このため、本発明のバンドであれば、特別な治具などを用いずに、美錠を容易に交換することができる。
したがって、時計のユーザーは、色合いや形状、材質などで選択した美錠を、バンドに取り付けることができる。
【０００８】
本発明のバンドにおいて、前記第１長穴は、前記第２長穴に比べて幅寸法および長さ寸法が小さくされ、前記板ばねは、前記第１長穴から露出しないように被覆されていることが好ましい。
【０００９】
本発明によれば、板ばねが折返し部の第１長穴から露出しないため、バンドの意匠性を向上できる。また、板ばねが、つく棒に直接当接することを防止できるので、つく棒が傷つくことも防止できる。
【００１０】
本発明は、前記バンドと、前記折返し部に取り付けられた前記美錠と、を備える美錠付き時計バンドであって、前記美錠は、美錠枠と、前記美錠枠に取り付けられた軸と、前記軸に回動自在に取り付けられたつく棒とを備え、前記軸は、前記受け部、前記湾曲部、前記係止部で囲まれる保持空間に配置され、前記つく棒は、前記第１長穴および前記第２長穴を通して突出されていることを特徴とする。
【００１１】
本発明の美錠付き時計バンドによれば、前記バンドと同じく、特別な治具を用いずに、美錠を容易に取り外すことができる。したがって、時計のユーザーは、色合いや形状、材質などで選択した美錠を別途用意すれば、美錠を容易に交換できる。
【００１２】
本発明の時計は、時計ケースを有する時計本体と、前記時計ケースに取り付けられた前記美錠付き時計バンドと、前記時計ケースに取り付けられた剣先側時計バンドと、を備えることを特徴とする。
【００１３】
本発明の時計によれば、美錠を容易に交換できるため、時計のユーザーは、色合いや形状、材質などで選択した美錠をバンドに取り付けることができ、時計の意匠を向上できる。
【図面の簡単な説明】
【００１４】
【図１】本発明の実施形態の時計を示す斜視図である。
【図２】前記実施形態の美錠付き時計バンドの要部を示す断面図である。
【図３】前記実施形態のバンドの板ばねを示す斜視図である。
【図４】前記実施形態のバンドの折返し部を示す斜視図である。
【図５】前記実施形態の美錠の取付方法を説明する斜視図である。
【図６】本発明の変形例のバンドの折返し部を示す斜視図である。
【発明を実施するための形態】
【００１５】
以下、本発明の実施形態を、図面を参照して説明する。
時計１は、図１に示すように、時計本体１０と、美錠付き時計バンド２と、剣先側時計バンド４とを備えている。
【００１６】
［時計本体］
時計本体１０は、時計ケース１１を備え、時計ケース１１の１２時および６時側には一対のかん１２がそれぞれ形成され、一対のかん１２にはバネ棒（図示略）が掛け渡されている。
【００１７】
［美錠付き時計バンド］
美錠付き時計バンド２は、時計用のバンド２０と、美錠６とを備えている。
バンド２０は、皮革や合成樹脂等で構成された帯状のバンド本体２１と、バンド本体２１に装着された板ばね３０とを備えている。
バンド本体２１は、図２に示すように、表皮２２と、裏皮２３とを接着して構成されている。バンド本体２１は、折返し部２４を備えている。折返し部２４は、バンド本体２１の一端側を裏側に折返して二つ折りにした部分で構成される。
板ばね３０は、折返し部２４において、表皮２２および裏皮２３間に装着されている。
【００１８】
［板ばね］
板ばね３０は、図３に示すように、金属板などを折り曲げた二つ折り形状に構成され、背板部３１と、連結部３２と、係止板部３３とを有する。
連結部３２は断面略円弧状に形成され、背板部３１および係止板部３３を連結する。
背板部３１および係止板部３３は、平面形状が同一とされ、背板部３１および係止板部３３の幅寸法は、連結部３２に連結する基端部から先端部３１Ａ、３３Ａに向かうにしたがって、徐々に小さくなるように形成されている。
【００１９】
背板部３１および係止板部３３の各基端部は、連結部３２を挟んで互いに離れて配置されている。一方、背板部３１および係止板部３３の先端部３１Ａ、３３Ａは、互いに当接されている。すなわち、板ばね３０は、背板部３１および係止板部３３が、基端部から先端部３１Ａ、３３Ａに向かうにしたがって互いに近づくように折り曲げられており、板ばね３０に外力が加わっていない状態では、先端部３１Ａ、３３Ａ同士が当接している。
また、板ばね３０は、ユーザー等によって、背板部３１および係止板部３３が互いに離れる方向の力が加わると、弾性変形して先端部３１Ａ、３３Ａが互いに離れるようにされている。
【００２０】
板ばね３０の幅方向の中心位置には、背板部３１から連結部３２を介して係止板部３３まで、第２長穴３５が形成されている。第２長穴３５の幅寸法Ｗ１は、美錠６のつく棒６２の幅寸法よりも大きくされ、図１、２に示すように、つく棒６２を挿入可能に設定されている。
さらに、図２に示すように、第２長穴３５において、連結部３２から先端部３１Ａ、３３Ａ側に向かう方向の寸法Ｌ１は、美錠６の軸６３に取り付けられた、つく棒６２の取付部６２１の直径Ｌ２よりも大きくされている。
【００２１】
図１、２、４に示すように、板ばね３０が装着される折返し部２４は、受け部２４１と、受け部２４１に連続する湾曲部２４２と、湾曲部２４２から受け部２４１に向かって延出される係止部２４３とを備える。
図２に示すように、板ばね３０の背板部３１は、受け部２４１に装着され、連結部３２は湾曲部２４２に装着され、係止板部３３は係止部２４３に装着される。これにより、折返し部２４の受け部２４１および係止部２４３間は、板ばね３０によって開閉可能に構成されている。
なお、本実施形態では、板ばね３０は、バンド本体２１の表皮２２および裏皮２３間に挟まれて装着されている。このため、折返し部２４において、受け部２４１は背板部３１を挟む部分であり、湾曲部２４２は連結部３２を挟む部分であり、係止部２４３は係止板部３３を挟む部分である。
【００２２】
図４に示すように、受け部２４１および湾曲部２４２の幅寸法は同じ寸法であるが、係止部２４３の幅寸法は、板ばね３０の係止板部３３に対応して、湾曲部２４２から離れる先端部２４３Ａに向かうにしたがって、小さくなるように設定されている。
また、図２に示すように、湾曲部２４２は連結部３２に沿って断面円弧状に設けられているので、受け部２４１および係止部２４３の基端部は、湾曲部２４２を挟んでバンド本体２１の厚さ方向に離れた位置に設けられている。また、係止部２４３は、受け部２４１に向かって延出され、先端部２４３Ａ側が受け部２４１に当接されている。このため、折返し部２４には、受け部２４１と、湾曲部２４２と、係止部２４３とで囲まれる保持空間２４４が形成され、この保持空間２４４に美錠６の軸６３を配置可能に構成されている。
【００２３】
図２、４に示すように、折返し部２４には、前記板ばね３０の第２長穴３５に対応する第１長穴２５が形成されている。第１長穴２５は、折返し部２４の受け部２４１から湾曲部２４２を介して係止部２４３まで形成されている。また、第１長穴２５は、第２長穴３５に比べて幅寸法Ｗ２（図４）および長さ寸法Ｌ３（図２）が小さくされ、板ばね３０は、折返し部２４の第１長穴２５からバンド２０の表面に露出しないように被覆されている。
【００２４】
［ケース取付部］
図１に示すように、バンド２０の折返し部２４とは反対側の端部（基端側）は、時計ケース１１に取り付けられている。バンド本体２１の基端側は、折返し部２４と同様に、裏側に折り返されており、この折り返された部分によって、ケース取付部２６が構成されている。ケース取付部２６においても、表皮２２および裏皮２３間に板ばね（図示略）が装着されている。ケース取付部２６の板ばねは、第２長穴３５が形成されていない点を除き、折返し部２４に設けられる板ばね３０と同様のものが利用できる。
【００２５】
ケース取付部２６は、折返し部２４と同じく、受け部２６１と、湾曲部２６２と、係止部２６３とを備えている。そして、時計ケース１１のバネ棒に対して、ケース取付部２６の受け部２６１および係止部２６３間を広げて差し込み、バネ棒をケース取付部２６に配置することで、美錠付き時計バンド２は、時計ケース１１に着脱可能に取り付けられる。
【００２６】
［剣先側時計バンド］
剣先側時計バンド４は、美錠付き時計バンド２と同様に、皮革や合成樹脂等で構成された帯状のバンド本体４１を備えている。バンド本体４１には、美錠６との連結用の複数の穴４２が形成されている。
バンド本体４１の時計本体１０に取り付けられる基端側は、バンド本体２１と同様に、ケース取付部４６が構成されている。ケース取付部４６は、受け部４６１、湾曲部４６２、係止部４６３を備えており、ケース取付部２６と同一であるため、説明を省略する。
剣先側時計バンド４も、美錠付き時計バンド２と同様に、時計ケース１１のバネ棒をケース取付部４６に配置することで、時計ケース１１に着脱可能に取り付けられる。
【００２７】
［美錠］
美錠６は、図１、２に示すように、美錠枠６１と、つく棒６２と、軸６３とを備えている。つく棒６２は、軸６３に対して回動自在に取り付けられている。なお、一般的な美錠は、軸６３をバネ棒で構成し、この軸６３を美錠枠６１から取り外してバンドから美錠を取り外すが、本発明では、軸６３は美錠枠６１から取り外す必要が無い。このため、軸６３は、バネ棒で構成してもよいし、美錠枠６１に固定された軸部材で構成してもよい。
【００２８】
［バンドに対する美錠の取付］
図５に示すように、バンド２０に美錠６を取り付けるには、ユーザーが受け部２４１および係止部２４３間を広げて板ばね３０を弾性変形させ、開かれた受け部２４１および係止部２４３間から、つく棒６２および軸６３を差し込む。
そして、図２に示すように、つく棒６２の先端を第１長穴２５および第２長穴３５を通して外側に突出させ、軸６３を湾曲部２４２の保持空間２４４に配置する。軸６３が保持空間２４４に配置され、ユーザーが受け部２４１および係止部２４３間を広げる操作を解除すれば、板ばね３０のバネ力によって、受け部２４１および係止部２４３間は互いに当接して閉じられる。これにより、軸６３は、板ばね３０によって受け部２４１および係止部２４３間が閉じられることで保持され、美錠６は折返し部２４に取り付けられる。これにより、バンド２０に美錠６を取り付けて美錠付き時計バンド２を構成することができる。
【００２９】
［バンドに対する美錠の取り外し］
バンド２０から美錠６を取り外すには、美錠６の軸６３を先端部２４３Ａに向かう方向に移動する。これにより、受け部２４１および係止部２４３は、軸６３の移動によって押し広げられる。そして、受け部２４１および係止部２４３間から軸６３およびつく棒６２を取り外すことで、折返し部２４から美錠６を取り外すことができる。
【００３０】
［時計ケースに対するバンドの取付・取り外し］
時計ケース１１に美錠付き時計バンド２、剣先側時計バンド４を取り付けるには、ユーザーは、ケース取付部２６、４６の受け部２６１、４６１と、係止部２６３、４６３との間を、指などを用いて広げる。次に、時計ケース１１のケース表面に対して、各時計バンド２、４を直交方向（時計ケース１１の表面から裏面に向かう方向）に向ける。そして、時計ケース１１のバネ棒に係止部２６３、４６３を引っ掛けて、各時計バンド２、４を時計ケース１１の表面から裏面に向かう方向（下方向）に引く。バネ棒に、湾曲部２６２、４６２が当接する位置まで各時計バンド２、４を引けば、時計バンド２、４を確実に時計ケース１１に取り付けることができる。
一方、時計ケース１１から、美錠付き時計バンド２、剣先側時計バンド４を取り外すには、取付時とは逆の工程で行えばよい。すなわち、時計ケース１１に対して、時計バンド２、４を前記直交方向に向け、さらに、時計バンド２、４を時計ケース１１の裏面から表面に向かう方向（上方向）に押し上げればよい。これにより、係止部２６３、４６３がバネ棒から外れ、時計ケース１１から時計バンド２、４が取り外される。
【００３１】
［実施形態の効果］
本実施形態によれば、バンド２０の折返し部２４に対して、美錠６を簡単な操作で着脱できるので、時計１のユーザーは、バンド２０に取り付けられている美錠６を容易に交換できる。
このため、時計１のユーザーは、自分の嗜好で、バンド２０に対して色合いやデザインが合っている美錠６に交換することができる。したがって、ユーザーは、好みの時計１を作ることができる。
また、美錠６を交換できるため、美錠枠６１やつく棒６２の長さ寸法が異なる複数種類の美錠６を選択して、取り付けることもできる。このため、剣先側時計バンド４の穴４２の間隔に加えて、前記長さ寸法が異なる美錠６を用意することで、ユーザーの腕に時計１を装着して、時計バンド２、４を締め付けた際の締め付け具合を細かく調整できる。
【００３２】
前記実施形態では、時計ケース１１に対して、美錠付き時計バンド２、剣先側時計バンド４を簡単な操作で交換できる。このため、時計１のユーザーは、美錠６に加えて時計バンド２、４を、自分の好みに合わせて組み合わせることができる。
また、美錠６に加えて時計バンド２、４も交換できるので、ユーザーの腕に時計１を装着した際の締め付け具合をより一層細かく調整できる。
さらに、ユーザーがバンド２０に対して美錠６を交換できるため、バンドを製造販売するメーカーは、美錠付き時計バンド２だけでなく、美錠６が取り付けられていないバンド２０を販売することができる。このため、バンド２０のみを交換したいユーザーは、美錠６が取り付けられていないバンド２０を購入することで、低コストで様々なバンド２０を利用できる。
【００３３】
折返し部２４に形成した第１長穴２５は、板ばね３０に形成した第２長穴３５よりも幅寸法や長さ寸法が小さいため、第１長穴２５および第２長穴３５に配置されるつく棒６２が、板ばね３０に当接することを防止できる。したがって、つく棒６２が傷ついたり、スムーズに動かないことを防止できる。
【００３４】
［他の実施形態］
なお、本発明は前述の実施形態に限定されるものではなく、本発明の目的を達成できる範囲での変形、改良等は本発明に含まれるものである。
例えば、板ばね３０は前記実施形態のものに限定されない。例えば、板ばね３０の背板部３１と係止板部３３とは、同一形状のものに限定されず、形状やサイズが異なるものでもよい。例えば、背板部３１よりも係止板部３３を小さく構成してもよいし、逆に係止板部３３よりも背板部３１を小さく構成してもよい。
また、背板部３１および係止板部３３は、先端部３１Ａ、３３Ａに向かうにしたがって幅寸法を小さくしていたが、幅寸法を一定にして表面形状が矩形状となるように構成してもよい。
【００３５】
折返し部２４の第１長穴２５および板ばね３０の第２長穴３５は、係止部２４３および係止板部３３側には形成せずに、受け部２４１および背板部３１から、湾曲部２４２おおび連結部３２までの範囲で形成してもよい。すなわち、第１長穴２５、第２長穴３５は、つく棒６２の移動に必要な範囲で形成すればよい。
また、図６に示すように、第１長穴２５を係止部２４３の先端部２４３Ａまで延長して形成し、第２長穴３５を係止板部３３の先端部３３Ａまで延長して形成してもよい。この場合、第１長穴２５および第２長穴３５が各先端部２４３Ａ、３３Ａまで連続して形成されるため、係止部２４３および係止板部３３は、前記第１長穴２５および第２長穴３５を挟んで２つの部材に分離して設けられる。第１長穴２５および第２長穴３５が各先端部２４３Ａ、３３Ａで開口するため、つく棒６２を第１長穴２５および第２長穴３５に沿って容易に移動でき、美錠６の交換作業をより一層簡単にできる。
また、第１長穴２５は、第２長穴３５と同じ幅寸法、長さ寸法に設定してもよい。また、第１長穴２５は、第２長穴３５よりも幅寸法や長さ寸法を大きくして、板ばね３０が第１長穴２５に露出するようにしてもよい。
【００３６】
バンド本体２１やバンド本体４１の材質は、皮革に限定されず、布製、合成樹脂製などの軟質バンドのすべてに適用することができる。また、板ばね３０の材質は、金属製、樹脂製など、ばね性を有する素材であれば利用できる。
【符号の説明】
【００３７】
１…時計、２…美錠付き時計バンド、４…剣先側時計バンド、６…美錠、１０…時計本体、１１…時計ケース、１２…かん、２０…バンド、２１…バンド本体、２４…折返し部、２４１…受け部、２４２…湾曲部、２４３…係止部、２４３Ａ…先端部、２４４…保持空間、２５…第１長穴、２６…ケース取付部、２６１…受け部、２６２…湾曲部、２６３…係止部、３０…板ばね、３１…背板部、３１Ａ…先端部、３２…連結部、３３…係止板部、３３Ａ…先端部、３５…第２長穴、４１…バンド本体、４２…穴、４６…ケース取付部、４６１…受け部、４６２…湾曲部、４６３…係止部、６１…美錠枠、６２…つく棒、６２１…取付部、６３…軸。
【図１】
0006679953.tif 000002
【図２】
0006679953.tif 000003
【図３】
0006679953.tif 000004
【図４】
0006679953.tif 000005
【図５】
0006679953.tif 000006
【図６】
0006679953.tif 000007